(57)【要約】【課題】隔壁部に吸収された水分による悪影響を抑えることの可能な有機電界発光パネルおよび発光装置を提供する。【解決手段】本開示の一実施の形態の有機電界発光パネルは、画素領域を区画する、有機材料を含んで構成された複数の隔壁部と、複数の隔壁部をまたぐように形成された有機発光層と、各隔壁部と有機発光層との間に形成され、隔壁部よりも水分の透過性が低い保護層とを備えている。【選択図】図５
2018129471.tif 000002
【特許請求の範囲】
【請求項１】
画素領域を区画する、有機材料を含んで構成された複数の隔壁部と、
複数の前記隔壁部をまたぐように形成された有機発光層と、
各前記隔壁部と前記有機発光層との間に形成され、前記隔壁部よりも水分の透過性が低い保護層と
を備えた
有機電界発光パネル。
【請求項２】
前記画素領域内に行列状に配置された複数の画素を備え、
各前記画素は、複数の副画素を有し、
複数の前記副画素は、所定の方向に一列に並んで配置されるとともに、複数の前記隔壁部によって区画され、さらに、前記有機発光層を共有する
請求項１に記載の有機電界発光パネル。
【請求項３】
各前記副画素は、正孔注入層を共有し、
前記正孔注入層が前記保護層を兼ねている
請求項２に記載の有機電界発光パネル。
【請求項４】
前記保護層は、各前記隔壁部のうち、複数の前記副画素を区画する部分の表面全体を覆っている
請求項３に記載の有機電界発光パネル。
【請求項５】
前記保護層は、各前記隔壁部の上面の全体または一部を露出させる構成となっている
請求項３に記載の有機電界発光パネル。
【請求項６】
前記正孔注入層は、無機材料によって構成されている
請求項３に記載の有機電界発光パネル。
【請求項７】
各前記副画素は、互いに別個の正孔注入層を有し、
各前記正孔注入層は、当該正孔注入層の端部が前記隔壁部内に埋め込まれるように形成されており、
前記保護層は、各前記正孔注入層とは別個の層で構成されている
請求項２に記載の有機電界発光パネル。
【請求項８】
前記保護層は、各前記隔壁部の側面の全体または一部を露出させる構成となっている
請求項７に記載の有機電界発光パネル。
【請求項９】
前記正孔注入層は、無機材料によって構成されている
請求項７に記載の有機電界発光パネル。
【請求項１０】
前記保護層は、金属材料によって構成されている
請求項９に記載の有機電界発光パネル。
【請求項１１】
前記有機発光層は、塗布層である
請求項１に記載の有機電界発光パネル。
【請求項１２】
複数の前記隔壁部の底面に接するとともに複数の前記隔壁部を支持するフレキシブル基板をさらに備えた
請求項１に記載の有機電界発光パネル。
【請求項１３】
有機電界発光パネルと、
前記有機電界発光パネルを駆動する駆動部と
を備え、
前記有機電界発光パネルは、
画素領域を区画する、有機材料を含んで構成された複数の隔壁部と、
複数の前記隔壁部をまたぐように形成された有機発光層と、
各前記隔壁部と前記有機発光層との間に形成され、前記隔壁部よりも水分の透過性が低い保護層と
を有する
発光装置。
【発明の詳細な説明】
【技術分野】
【０００１】
本開示は、有機電界発光パネルおよび発光装置に関する。
【背景技術】
【０００２】
インクジェット装置を用いて、有機電界発光素子を画素ごとに形成することにより、有機電界発光パネルを製造する方法が知られている。この方法では、例えば、インクジェット装置から、隔壁部によって囲まれた溝の中にインクの液滴を吐出したのち、吐出後のインクを乾燥させることにより、有機電界発光素子が形成される。なお、隔壁部については、例えば、特許文献１〜３に記載されている。
【先行技術文献】
【特許文献】
【０００３】
【特許文献１】特開２０１６−１６４８９３号公報
【特許文献２】特開２０１６−１５７６４５号公報
【特許文献３】特開２０１６−２４８８７号公報
【発明の概要】
【発明が解決しようとする課題】
【０００４】
ところで、隔壁部は、有機材料によって構成されている。そのため、隔壁部が有機電界発光素子を形成する過程などで水分を吸収し、隔壁部に吸収された水分により有機電界発光素子に不良が生じてしまうことがある。従って、隔壁部に吸収された水分による悪影響を抑えることの可能な有機電界発光パネルおよび発光装置を提供することが望ましい。
【課題を解決するための手段】
【０００５】
本開示の一実施の形態の有機電界発光パネルは、画素領域を区画する、有機材料を含んで構成された複数の隔壁部と、複数の隔壁部をまたぐように形成された有機発光層と、各隔壁部と有機発光層との間に形成され、隔壁部よりも水分の透過性が低い保護層とを備えている。
【０００６】
本開示の一実施の形態の発光装置は、有機電界発光パネルと、有機電界発光パネルを駆動する駆動部とを備えている。この発光装置において、有機電界発光パネルは、上記の有機電界発光パネルと同一の構成要素を有している。
【０００７】
本開示の一実施の形態の有機電界発光パネルおよび発光装置では、画素領域を区画する、有機材料を含んで構成された複数の隔壁部と、複数の前記隔壁部をまたぐように形成された有機発光層との間に、隔壁部よりも水分の透過性が低い保護層が形成されている。これにより、保護層が形成されていない場合と比べて、隔壁部に水分が浸透し難く、また、隔壁部に水分が浸透した場合であっても、隔壁部に浸透した水分が有機発光層に移動し難くなる。
【発明の効果】
【０００８】
本開示の一実施の形態の有機電界発光パネルおよび発光装置によれば、保護層が形成されていない場合と比べて、隔壁部に水分が浸透し難く、また、隔壁部に水分が浸透した場合であっても、隔壁部に浸透した水分が有機発光層に移動し難くなるようにしたので、隔壁部に吸収された水分による悪影響を抑えることができる。なお、本開示の効果は、ここに記載された効果に必ずしも限定されず、本明細書中に記載されたいずれの効果であってもよい。
【図面の簡単な説明】
【０００９】
【図１】本開示の一実施の形態に係る有機電界発光装置の概略構成例を表す図である。
【図２】図１の各画素に含まれる副画素の回路構成例を表す図である。
【図３】図１の有機電界発光パネルの概略構成例を表す図である。
【図４】図３の有機電界発光パネルのＡ−Ａ線での断面構成例を表す図である。
【図５】図３の有機電界発光パネルのＢ−Ｂ線での断面構成例を表す図である。
【図６Ａ】図５の有機電界発光パネルの製造過程の一例を表す図である。
【図６Ｂ】図６Ａに続く製造過程の一例を表す図である。
【図６Ｃ】図６Ｂに続く製造過程の一例を表す図である。
【図６Ｄ】図６Ｃに続く製造過程の一例を表す図である。
【図７】図５の有機電界発光パネルの断面構成の一変形例を表す図である。
【図８】図４の有機電界発光パネルの断面構成の一変形例を表す図である。
【図９】図５の有機電界発光パネルの断面構成の一変形例を表す図である。
【発明を実施するための形態】
【００１０】
以下、本開示を実施するための形態について、図面を参照して詳細に説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。なお、各図は、模式図であり、必ずしも厳密に図示されたものではない。また、各図において、実質的に同一の構成に対しては同一の符号を付しており、重複する説明は省略又は簡略化する。
【００１１】
＜実施の形態＞
[構成]
図１は、本開示の一実施の形態に係る有機電界発光装置１の概略構成例を表したものである。図２は、有機電界発光装置１に設けられた各画素１１に含まれる副画素１２の回路構成の一例を表したものである。有機電界発光装置１は、例えば、有機電界発光パネル１０、コントローラ２０およびドライバ３０を備えている。ドライバ３０は、例えば、有機電界発光パネル１０の外縁部分に実装されている。有機電界発光パネル１０は、画素領域１０Ａ内に行列状に配置された複数の画素１１を有している。コントローラ２０およびドライバ３０は、外部から入力された映像信号Ｄｉｎおよび同期信号Ｔｉｎに基づいて、有機電界発光パネル１０を駆動する。
【００１２】
（有機電界発光パネル１０）
有機電界発光パネル１０は、コントローラ２０およびドライバ３０によって各画素１１がアクティブマトリクス駆動されることにより、外部から入力された映像信号Ｄｉｎおよび同期信号Ｔｉｎに基づく画像を表示する。有機電界発光パネル１０は、行方向に延在する複数の走査線ＷＳＬと、列方向に延在する複数の信号線ＤＴＬおよび複数の電源線ＤＳＬと、行列状に配置された複数の画素１１とを有している。
【００１３】
走査線ＷＳＬは、各画素１１の選択に用いられるものであり、各画素１１を所定の単位（例えば画素行）ごとに選択する選択パルスを各画素１１に供給するものである。信号線ＤＴＬは、映像信号Ｄｉｎに応じた信号電圧Ｖｓｉｇの、各画素１１への供給に用いられるものであり、信号電圧Ｖｓｉｇを含むデータパルスを各画素１１に供給するものである。電源線ＤＳＬは、各画素１１に電力を供給するものである。
【００１４】
各画素１１は、例えば、赤色光を発する副画素１２、緑色光を発する副画素１２、および青色光を発する副画素１２を含んで構成されている。なお、各画素１１は、例えば、さらに、他の色（例えば、白色や、黄色など）を発する副画素１２を含んで構成されていてもよい。各画素１１において、複数の副画素１２は、例えば、所定の方向に一列に並んで配置されている。
【００１５】
各信号線ＤＴＬは、後述の水平セレクタ３１の出力端に接続されている。各画素列には、例えば、複数の信号線ＤＴＬが１本ずつ、割り当てられている。各走査線ＷＳＬは、後述のライトスキャナ３２の出力端に接続されている。各画素行には、例えば、複数の走査線ＷＳＬが１本ずつ、割り当てられている。各電源線ＤＳＬは、電源の出力端に接続されている。各画素行には、例えば、複数の電源線ＤＳＬが１本ずつ、割り当てられている。
【００１６】
各副画素１２は、画素回路１２−１と、有機電界発光素子１２−２とを有している。有機電界発光素子１２−２の構成については、後に詳述する。
【００１７】
画素回路１２−１は、有機電界発光素子１２−２の発光・消光を制御する。画素回路１２−１は、後述の書込走査によって各副画素１２に書き込んだ電圧を保持する機能を有している。画素回路１２−１は、例えば、駆動トランジスタＴｒ１、書込トランジスタＴｒ２および保持容量Ｃｓを含んで構成されている。
【００１８】
書込トランジスタＴｒ２は、駆動トランジスタＴｒ１のゲートに対する、映像信号Ｄｉｎに対応した信号電圧Ｖｓｉｇの印加を制御する。具体的には、書込トランジスタＴｒ２は、信号線ＤＴＬの電圧をサンプリングするとともに、サンプリングにより得られた電圧を駆動トランジスタＴｒ１のゲートに書き込む。駆動トランジスタＴｒ１は、有機電界発光素子１２−２に直列に接続されている。駆動トランジスタＴｒ１は、有機電界発光素子１２−２を駆動する。駆動トランジスタＴｒ１は、書込トランジスタＴｒ２によってサンプリングされた電圧の大きさに応じて有機電界発光素子１２−２に流れる電流を制御する。保持容量Ｃｓは、駆動トランジスタＴｒ１のゲート−ソース間に所定の電圧を保持するものである。保持容量Ｃｓは、所定の期間中に駆動トランジスタＴｒ１のゲート−ソース間電圧Ｖｇｓを一定に保持する役割を有する。なお、画素回路１２−１は、上述の２Ｔｒ１Ｃの回路に対して各種容量やトランジスタを付加した回路構成となっていてもよいし、上述の２Ｔｒ１Ｃの回路構成とは異なる回路構成となっていてもよい。
【００１９】
各信号線ＤＴＬは、後述の水平セレクタ３１の出力端と、書込トランジスタＴｒ２のソースまたはドレインとに接続されている。各走査線ＷＳＬは、後述のライトスキャナ３２の出力端と、書込トランジスタＴｒ２のゲートとに接続されている。各電源線ＤＳＬは、電源回路と、駆動トランジスタＴｒ１のソースまたはドレインに接続されている。
【００２０】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が有機電界発光素子２１−２の陽極２１に接続されている。保持容量Ｃｓの一端が駆動トランジスタＴｒ１のゲートに接続されている。保持容量Ｃｓの他端が駆動トランジスタＴｒ１のソースおよびドレインのうち有機電界発光素子２１−２側の端子に接続されている。
【００２１】
（ドライバ３０）
ドライバ３０は、例えば、水平セレクタ３１およびライトスキャナ３２を有している。水平セレクタ３１は、例えば、制御信号の入力に応じて（同期して）、コントローラ２０から入力されたアナログの信号電圧Ｖｓｉｇを、各信号線ＤＴＬに印加する。ライトスキャナ３２は、複数の副画素１２を所定の単位ごとに走査する。
【００２２】
（コントローラ２０）
次に、コントローラ２０について説明する。コントローラ２０は、例えば、外部から入力されたデジタルの映像信号Ｄｉｎに対して所定の補正を行い、それにより得られた映像信号に基づいて、信号電圧Ｖｓｉｇを生成する。コントローラ２０は、例えば、生成した信号電圧Ｖｓｉｇを水平セレクタ３１に出力する。コントローラ２０は、例えば、外部から入力された同期信号Ｔｉｎに応じて（同期して）、ドライバ３０内の各回路に対して制御信号を出力する。
【００２３】
次に、図３、図４、図５を参照して、有機電界発光素子１２−２について説明する。図３は、有機電界発光パネル１０の概略構成例を表したものである。図４は、図３の有機電界発光パネル１０のＡ−Ａ線での断面構成例を表したものである。図５は、図３の有機電界発光パネル１０のＢ−Ｂ線での断面構成例を表したものである。
【００２４】
有機電界発光パネル１０は、行列状に配置された複数の画素１１を有している。各画素１１は、例えば、上述したように、赤色光を発する副画素１２（１２Ｒ）、緑色光を発する副画素１２（１２Ｇ）、および青色光を発する副画素１２（１２Ｂ）を含んで構成されている。副画素１２Ｒは、赤色の光を発する有機電界発光素子１２−２（１２ｒ）を含んで構成されている。副画素１２Ｇは、緑色の光を発する有機電界発光素子１２−２（１２ｇ）を含んで構成されている。副画素１２Ｂは、青色の光を発する有機電界発光素子１２−２（１２ｂ）を含んで構成されている。副画素１２Ｒ，１２Ｇ，１２Ｂは、例えば、ストライプ配列となっている。各画素１１において、例えば、副画素１２Ｒ，１２Ｇ，１２Ｂが、列方向に並んで配置されている。さらに、各画素行において、例えば、同一色の光を発する複数の副画素１２が、行方向に一列に並んで配置されている。
【００２５】
有機電界発光パネル１０は、基板１４上に、行方向に延在する複数のラインバンク１３と、列方向に延在する複数のバンク１５とを有している。複数のラインバンク１３および複数のバンク１５は、画素領域１０Ａを区画する。バンク１５は、本開示の「隔壁部」の一具体例に相当する。複数のラインバンク１３は、各画素１１において、各副画素１２を区画する。複数のバンク１５は、各画素行において、各画素１１を区画する。つまり、複数の副画素１２は、複数のラインバンク１３および複数のバンク１５によって区画されている。各バンク１５は、列方向において互いに隣接する２つのラインバンク１３の間に設けられている。各バンク１５の両端部が、列方向において互いに隣接する２つのラインバンク１３に連結されている。
【００２６】
基板１４は、例えば、各有機電界発光素子１２−２や、各ラインバンク１３、各バンク１５などを支持する基材と、基材上に設けられた配線層とによって構成されている。基板１４内の基材は、例えば、ガラス基板、またはフレキシブル基板などによって構成されている。基板１４内の基材として用いられるガラス基板の材料としては、例えば、無アルカリガラス、ソーダガラス、無蛍光ガラス、燐酸系ガラス、硼酸系ガラスまたは石英などが挙げられる。基板１４内の基材として用いられるフレキシブル基板の材料としては、例えば、アクリル系樹脂、スチレン系樹脂、ポリカーボネート系樹脂、エポキシ系樹脂、ポリエチレン、ポリエステル、またはシリコーン系樹脂などが挙げられる。基板１４内の配線層には、例えば、各画素１１の画素回路１２−１が形成されている。基板１４は、複数のバンク１５の底面に接するとともに複数のバンク１５を支持している。
【００２７】
ラインバンク１３およびバンク１５は、例えば、絶縁性の有機材料を含んで構成されている。絶縁性の有機材料としては、例えば、アクリル系樹脂、ポリイミド系樹脂、ノボラック型フェノール樹脂などが挙げられる。ラインバンク１３およびバンク１５は、例えば、耐熱性、溶媒に対する耐性を持つ絶縁性樹脂によって形成されていることが好ましい。ラインバンク１３およびバンク１５は、例えば、絶縁性樹脂をフォトリソグラフィおよび現像によって所望のパターンに加工することによって形成される。ラインバンク１３の断面形状は、例えば、図４に示したような順テーパ型であってもよく、裾が狭くなった逆テーパ型であってもよい。バンク１５の断面形状は、例えば、図５に示したような順テーパ型であってもよく、裾が狭くなった逆テーパ型であってもよい。
【００２８】
互いに平行で、かつ互いに隣接する２つのラインバンク１３および両端のバンク１５によって囲まれた領域が、溝部１６なっている。さらに、互いに平行で、かつ互いに隣接する２つのラインバンク１３と、互いに平行で、かつ互いに隣接する２つのバンク１５によって囲まれた領域が、副画素１２に相当する。つまり、各有機電界発光素子１２−２は、互いに平行で、かつ互いに隣接する２つのラインバンク１３と、互いに平行で、かつ互いに隣接する２つのバンク１５によって囲まれた領域に１つずつ配置されている。
【００２９】
各有機電界発光素子１２−２は、例えば、陽極２１、正孔注入層２２、正孔輸送層２３、発光層２４、電子輸送層２５、電子注入層２６および陰極２７を基板１４側からこの順に備えたものである。発光層２４が、本開示の「発光層」の一具体例に相当する。正孔注入層２２は、正孔注入効率を高めるための層である。正孔輸送層２３は、陽極２１から注入された正孔を発光層２４へ輸送するための層である。発光層２４は、電子と正孔との再結合により、所定の色の光を発する層である。電子輸送層２５は、陰極２７から注入された電子を発光層２４へ輸送するための層である。電子注入層２６は、電子注入効率を高めるための層である。正孔注入層２２および電子注入層２６の少なくとも一方が省略されていてもよい。各有機電界発光素子１２−２は、上述以外の層をさらに有していてもよい。
【００３０】
陽極２１は、例えば、基板１４の上に形成されている。さらに、陽極２１は、例えば、陽極２１の端縁がラインバンク１３およびバンク１５内に埋め込まれるように形成されている。従って、陽極２１の端縁は、各ラインバンク１３およびバンク１５の直下に位置している。１副画素行において、複数の陽極２１は、例えば、溝部１６の延在方向に、等間隔で配置されている。各バンク１５は、溝部１６の延在方向において互いに隣接する２つの陽極２１の間に１つずつ配置されている。陽極２１は、透光性を有する透明電極であって、例えば、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等の透明導電性材料からなる透明導電膜が用いられる。なお、陽極２１は、透明電極に限るものではなく、例えば、アルミニウム（Ａｌ）、銀（Ａｇ）、アルミニウムもしくは銀の合金等、または、反射性を有する反射電極であってもよい。陽極２１は、反射電極と透明電極とが積層されたものであってもよい。
【００３１】
正孔注入層２２は、陽極２１から発光層２４へ正孔の注入を促進させる機能を有する。正孔注入層２２は、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物から構成されている。
【００３２】
正孔輸送層２３は、陽極２１から注入された正孔を発光層２４へ輸送する機能を有する。正孔輸送層２３は、例えば、塗布層である。正孔輸送層２３は、例えば、正孔輸送性を有する有機材料（以下、「正孔輸送性材料２３Ｍ」と称する。）を溶質の主成分とする溶液を塗布および乾燥することにより形成されている。正孔輸送層２３は、正孔輸送性材料２３Ｍを主成分として含んで構成されている。
【００３３】
正孔輸送層２３の原料（材料）である正孔輸送性材料２３Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、ヒドラゾン誘導体、トリフェニルメタン誘導体、テトラフェニルベンジン誘導体等、または、これらの組み合わせからなる材料である。正孔輸送性材料２３Ｍは、さらに、例えば、溶解性および不溶化の機能のために、その分子構造中に、可溶性基と、熱解離可溶性基、架橋性基または脱離性保護基などの不溶化基とを有している。
【００３４】
発光層２４は、正孔と電子との再結合により、所定の色の光を発する機能を有する。発光層２４は、塗布層である。発光層２４は、正孔と電子との再結合により励起子を生成し発光する有機材料（以下、「有機発光材料２４Ｍ」と称する。）を溶質の主成分とする溶液の塗布および乾燥により形成されている。発光層２４は、有機発光材料２４Ｍを主成分として含んで構成されている。副画素１２Ｒに含まれる有機電界発光素子１２ｒでは、有機発光材料２４Ｍが赤色有機発光材料を含んで構成されている。副画素１２Ｇに含まれる有機電界発光素子１２ｇでは、有機発光材料２４Ｍが緑色有機発光材料を含んで構成されている。副画素１２Ｂに含まれる有機電界発光素子１２ｂでは、有機発光材料２４Ｍが青色有機発光材料を含んで構成されている。
【００３５】
発光層２４は、例えば、単層の有機発光層、または、積層された複数の有機発光層によって構成されている。発光層２４が積層された複数の有機発光層によって構成されている場合には、発光層２４は、例えば、主成分が互いに共通の複数の有機発光層を積層したものである。このとき、複数の有機発光層は、ともに、塗布層である。複数の有機発光層は、ともに、有機発光材料２４Ｍを溶質の主成分とする溶液の塗布および乾燥により形成されている。
【００３６】
発光層２４の原料（材料）である有機発光材料２４Ｍは、例えば、ドーパント材料単独であってもよいが、より好ましくは、ホスト材料とドーパント材料との組み合わせがよい。つまり、発光層２４は、有機発光材料２４Ｍとして、ホスト材料およびドーパント材料を含んで構成されている。ホスト材料は、主に電子又は正孔の電荷輸送の機能を担っており、ドーパント材料は、発光の機能を担っている。ホスト材料およびドーパント材料は１種類のみに限られるものではなく、２種類以上の組み合わせであってもよい。ドーパント材料の量は、ホスト材料に対して、０．０１重量％以上３０重量％以下であるとよく、より好ましくは、０．０１重量％以上１０重量％以下である。
【００３７】
発光層２４のホスト材料としては、例えば、アミン化合物、縮合多環芳香族化合物、ヘテロ環化合物が用いられる。アミン化合物としては、例えば、モノアミン誘導体、ジアミン誘導体、トリアミン誘導体、テトラアミン誘導体が用いられる。縮合多環芳香族化合物としては、例えば、アントラセン誘導体、ナフタレン誘導体、ナフタセン誘導体、フェナントレン誘導体、クリセン誘導体、フルオランテン誘導体、トリフェニレン誘導体、ペンタセン誘導体、または、ペリレン誘導体等が挙げられる。ヘテロ環化合物としては、例えば、カルバゾール誘導体、フラン誘導体、ピリジン誘導体、ピリミジン誘導体、トリアジン誘導体、イミダゾール誘導体、ピラゾール誘導体、トリアゾール誘導体、オキサゾール誘導体、オキサジアゾール誘導体、ピロール誘導体、インドール誘導体、アザインドール誘導体、アザカルバゾール、ピラゾリン誘導体、ピラゾロン誘導体、または、フタロシアニン誘導体等が挙げられる。
【００３８】
また、発光層２４のドーパント材料としては、例えば、ピレン誘導体、フルオランテン誘導体、アリールアセチレン誘導体、フルオレン誘導体、ペリレン誘導体、オキサジアゾール誘導体、アントラセン誘導体、または、クリセン誘導体が用いられる。また、発光層２４のドーパント材料としては、金属錯体が用いられてもよい。金属錯体としては、例えば、イリジウム（Ｉｒ）、白金（Ｐｔ）、オスミウム（Ｏｓ）、金（Ａｕ）、レニウム（Ｒｅ）、もしくは、ルテニウム（Ｒｕ）等の金属原子と配位子とを有するものが挙げられる。
【００３９】
電子輸送層２５は、陰極２７から注入された電子を発光層２４へ輸送する機能を有する。電子輸送層２５は、例えば、塗布層である。電子輸送層２５は、電子輸送性を有する有機材料（以下、「電子輸送性材料２５Ｍ」と称する。）主成分として含んで構成されている。
【００４０】
電子輸送層２５は、発光層２４と陰極２７との間に介在し、陰極２７から注入された電子を発光層２４へ輸送する機能を有する。電子輸送層２５の原料（材料）である電子輸送性材料２５Ｍは、例えば、分子内にヘテロ原子を１個以上含有する芳香族ヘテロ環化合物である。芳香族ヘテロ環化合物としては、例えば、ピリジン環、ピリミジン環、トリアジン環、ベンズイミダゾール環、フェナントロリン環、キナゾリン環等を骨格に含む化合物が挙げられる。また、電子輸送層２５は、電子輸送性を有する金属を含んでもよい。電子輸送層２５は、電子輸送性を有する金属を含むことで、電子輸送層２５の電子輸送性を向上できる。電子輸送層２５に含まれる金属としては、例えば、バリウム（Ｂａ）、リチウム（Ｌｉ）、カルシウム（Ｃａ）、カリウム（Ｋ）、セシウム（Ｃｓ）、ナトリウム（Ｎａ）、ルビジウム（Ｒｂ）、イットリビウム（Ｙｂ）等を用いることができる。
【００４１】
陰極２７は、例えば、光反射性を有する反射電極であり、例えば反射性を有する金属材料を用いて形成された金属電極である。陰極２７の材料としては、例えば、アルミニウム（Ａｌ）、マグネシウム（Ｍｇ）、銀（Ａｇ）、アルミニウム−リチウム合金、マグネシウム−銀合金等が用いられる。なお、陰極２７は、反射電極に限るものではなく、陽極２１と同様に、ＩＴＯ膜等の透明電極であってもよい。基板１４及び陽極２１が透光性を有し、陰極２７が反射性を有する場合には、有機電界発光素子１２−２は、基板１４側から光が放出するボトムエミッション構造となっている。陽極２１が反射性を有し、陰極２７が透光性を有する場合には、有機電界発光素子１２−２は、トップエミッション構造となっている。
【００４２】
有機電界発光パネル１０は、さらに、例えば、各有機電界発光素子１２−２を封止する封止層１７を有していてもよい。封止層１７は、例えば、各有機電界発光素子１２−２の陰極２７の表面に接して設けられている。
【００４３】
次に、図５を参照して、各バンク１５およびその周辺の構成について説明する。上述したように、１副画素行において、複数の陽極２１は、例えば、溝部１６の延在方向（図５の左右方向）に、等間隔で配置されている。各バンク１５は、溝部１６の延在方向において互いに隣接する２つの陽極２１の間に１つずつ配置されている。各溝部１６において、正孔注入層２２、正孔輸送層２３、発光層２４、電子輸送層２５および電子注入層２６からなる積層体は、溝部１６の延在方向に延在している。つまり、各溝部１６において、正孔注入層２２、正孔輸送層２３、発光層２４、電子輸送層２５および電子注入層２６からなる積層体は、複数のバンク１５をまたぐように形成されている。さらに、１副画素行において、各副画素１２は、正孔注入層２２、正孔輸送層２３、発光層２４、電子輸送層２５および電子注入層２６を共有している。
【００４４】
ここで、正孔注入層２２は、各バンク１５と発光層２４との間に形成されている。正孔注入層２２は、さらに、バンク１５よりも水分の透過性が低い保護層を兼ねている。正孔注入層２２は、各バンク１５のうち、複数の副画素１２を区画する部分の表面全体を覆っている。正孔注入層２２は、正孔注入性を有する無機材料によって構成されている。正孔注入性を有する無機材料としては、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物（無機酸化物）などが挙げられる。
【００４５】
[製造方法]
次に、有機電界発光パネル１０の製造方法について説明する。図６Ａ〜図６Ｄは、有機電界発光パネル１０の製造過程の一例を表したものである。
【００４６】
まず、基板１４上に、所定の間隙を介して行列状に複数の陽極２１を形成する。次に、行方向に互いに隣接する２つの陽極２１の間に１つずつ、列方向に延在するバンク１５を形成する（図６Ａ）。このとき、各陽極２１の端縁を覆うようにして、各バンク１５を形成する。続いて、列方向に互いに隣接する２つの陽極２１の間に１つずつ、行方向に延在するラインバンク１３を形成する。このとき、各陽極２１の端縁を覆うようにして、各ラインバンク１３を形成する。これにより、行方向に延在する複数の溝部１６が１副画素行ごとに１つずつ形成される。
【００４７】
次に、例えば、蒸着法を用いて、各溝部１６内に露出する各陽極２１および各バンク１５の表面に正孔注入層２２を形成する（図６Ｂ）。続いて、各正孔注入層２２の表面に対してＵＶ光を照射する（図６Ｃ）。これにより、各正孔注入層２２の表面をクリーニングするとともに、各正孔注入層２２の表面の濡れ性を高める。このとき、各バンク１５は、各正孔注入層２２によってＵＶ光から保護される。その後、例えば、インクジェット装置を用いて、各溝部１６内に、インクの液滴を吐出したのち、吐出後のインクを乾燥させることにより、正孔輸送層２３を形成する。同様にして、各溝部１６内に、発光層２４、電子輸送層２５、電子注入層２６を順次形成する。このようにして、各溝部１６内に、正孔注入層２２、正孔輸送層２３、発光層２４、電子輸送層２５および電子注入層２６からなる積層体が形成される（図６Ｄ）。その後、陰極２７および封止層１７をこの順に形成する。このようにして、副画素１２ごとに有機電界発光素子１２−２を有する有機電界発光パネル１０が製造される。
【００４８】
[効果]
次に、本実施の形態の有機電界発光パネル１０およびそれを備えた有機電界発光装置１の効果について説明する。
【００４９】
インクジェット装置を用いて、有機電界発光素子を画素ごとに形成することにより、有機電界発光パネルを製造する方法が知られている。この方法では、例えば、インクジェット装置から、隔壁部によって囲まれた溝の中にインクの液滴を吐出したのち、吐出後のインクを乾燥させることにより、有機電界発光素子が形成される。ところで、隔壁部は、有機材料によって構成されている。そのため、隔壁部が有機電界発光素子を形成する過程などで水分を吸収し、隔壁部に吸収された水分により有機電界発光素子に不良が生じてしまうことがある。
【００５０】
一方、本実施の形態では、画素領域１０Ａを区画する、有機材料を含んで構成された複数のバンク１５と、複数のバンク１５をまたぐように形成された発光層２４との間に、バンク１５よりも水分の透過性が低い正孔注入層２２が、バンク１５を保護する層として形成されている。これにより、バンク１５を保護する層が形成されていない場合と比べて、バンク１５に水分が浸透し難く、また、バンク１５に水分が浸透した場合であっても、バンク１５に浸透した水分が発光層２４に移動し難くなる。その結果、発光層２４がバンク１５からの水分によって劣化するおそれを低減することができるので、バンク１５に吸収された水分による悪影響を抑えることができる。
【００５１】
また、本実施の形態では、複数の副画素１２は、溝部１６の延在方向に一列に並んで配置されるとともに、複数のバンク１５によって区画され、さらに、発光層２４を共有している。このとき、各バンク１５は、正孔注入層２２によって保護されているので、各副画素１２が発光層２４を共有している場合であっても、発光層２４がバンク１５からの水分によって劣化するおそれを低減することができる。その結果、バンク１５に吸収された水分による悪影響を抑えることができる。
【００５２】
また、本実施の形態では、各副画素１２が正孔注入層２２を共有し、正孔注入層２２がバンク１５を保護する層を兼ねている。これにより、バンク１５を保護する層をわざわざ形成する必要がないので、製造コストの増大を抑えつつ、バンク１５に吸収された水分による悪影響を抑えることができる。
【００５３】
また、本実施の形態では、正孔注入層２２は、各バンク１５のうち、複数の副画素１２を区画する部分の表面全体を覆っている。これにより、発光層２４がバンク１５からの水分によって劣化するおそれを低減することができるので、バンク１５に吸収された水分による悪影響を抑えることができる。
【００５４】
また、本実施の形態では、正孔注入層２２が無機材料によって構成されている。これにより、水分が正孔注入層２２を透過し難いので、発光層２４がバンク１５からの水分によって劣化するおそれを低減することができる。その結果、バンク１５に吸収された水分による悪影響を抑えることができる。
【００５５】
また、本実施の形態では、発光層２４は、塗布層である。これにより、例えば、発光層２４を製造する過程において、インクの水分がバンク１５などに吸収される可能性がある。しかし、本実施の形態では、正孔注入層２２がバンク１５を保護する保護層として機能するので、発光層２４を製造する過程において、インクの水分がバンク１５などに吸収されるおそれを低減することができる。その結果、バンク１５に吸収された水分による悪影響を抑えることができる。
【００５６】
＜変形例＞
次に、上記実施の形態に係る有機電界発光装置１の変形例について説明する。
【００５７】
[変形例Ａ]
上記実施の形態では、正孔注入層２２が、各バンク１５のうち、複数の副画素１２を区画する部分の表面全体を覆っていた。しかし、上記実施の形態において、正孔注入層２２が、各バンク１５の上面の全体または一部を露出させる構成となっていてもよい。例えば、図７に示したように、正孔注入層２２が、各バンク１５の上面に１または複数の開口部２２Ｈを有していてもよい。この場合、各開口部２２Ｈの底面に、バンク１５の上面が露出している。本変形例において、正孔注入層２２は、上述の無機酸化物によって構成された無機材料層を含む積層体であってもよい。本変形例において、正孔注入層２２が、例えば、上述の無機酸化物によって構成された無機材料層と、ＰＥＤＯＴ（ポリチオフェンとポリスチレンスルホン酸との混合物）などの導電性ポリマー材料によって構成された有機材料層とが基板１４側からこの順に積層された積層体であってもよい。
【００５８】
本変形例では、正孔注入層２２が、各バンク１５の上面の全体または一部を露出させる構成となっている。これにより、例えば、バンク１５内の水分が、バンク１５と正孔注入層２２とが互いに接する部分に溜まるなどして、正孔注入層２２がバンク１５から剥がれるおそれを低減することができる。従って、バンク１５に吸収された水分による悪影響を抑えることができる。
【００５９】
また、本変形例において、基板１４が、複数のバンク１５の底面に接するとともに複数のバンク１５を支持するフレキシブル基板となっている場合には、例えば、有機電界発光パネル１０を製造する過程において、フレキシブル基板を介して水分がバンク１５などに吸収される可能性がある。しかし、正孔注入層２２の各開口部２２Ｈから水分を逃がすことができるので、例えば、バンク１５内の水分が、バンク１５と正孔注入層２２とが互いに接する部分に溜まり難くなる。その結果、正孔注入層２２がバンク１５から剥がれるおそれを低減することができるので、バンク１５に吸収された水分による悪影響を抑えることができる。
【００６０】
[変形例Ｂ]
上記実施の形態では、正孔注入層２２がバンク１５を保護する層を兼ねていた。しかし、バンク１５を保護する層が、各正孔注入層２２とは別個の層で構成されていてもよい。例えば、図８、図９に示したように、各正孔注入層２２が、当該正孔注入層２２の端部がバンク１５内に埋め込まれるように形成されており、保護層２８が各正孔注入層２２とは別個の層で構成されていてもよい。保護層２８は、バンク１５と発光層２４との間に形成されており、バンク１５よりも水分の透過性が低い材料によって構成されている。保護層２８は、例えば、金属材料によって構成されており、例えば、銀（Ａｇ）、モリブデン（Ｍｏ）、クロム（Ｃｒ）、バナジウム（Ｖ）、タングステン（Ｗ）、ニッケル（Ｎｉ）などによって構成されている。保護層２８は、各バンク１５の側面の全体または一部を露出させる構成となっている。保護層２８は、例えば、各バンク１５の側面を避けつつ、各バンク１５の上面に形成されている。本変形例において、正孔注入層２２は、上述の無機酸化物によって構成されていてもよいし、例えば、ＰＥＤＯＴ（ポリチオフェンとポリスチレンスルホン酸との混合物）などの導電性ポリマー材料によって構成されていてもよい。
【００６１】
本変形例では、各正孔注入層２２が、当該正孔注入層２２の端部がバンク１５内に埋め込まれるように形成されており、保護層２８が各正孔注入層２２とは別個の層で構成されている。これにより、正孔注入層２２としては適切ではない材料であっても、保護層２８として適切な材料を保護層２８に用いることができる。その結果、発光層２４がバンク１５からの水分によって劣化するおそれを低減することができるので、バンク１５に吸収された水分による悪影響を抑えることができる。
【００６２】
また、本変形例では、保護層２８は、各バンク１５の側面の全体または一部を露出させる構成となっている。これにより、例えば、バンク１５内の水分が、バンク１５と正孔注入層２２とが互いに接する部分に溜まるなどして、正孔注入層２２がバンク１５から剥がれるおそれを低減することができる。従って、バンク１５に吸収された水分による悪影響を抑えることができる。
【００６３】
また、本変形例において、正孔注入層２２が無機材料によって構成されている場合には、水分が正孔注入層２２を透過し難いので、発光層２４がバンク１５からの水分によって劣化するおそれを低減することができる。その結果、バンク１５に吸収された水分による悪影響を抑えることができる。
【００６４】
また、本変形例において、保護層２８が金属材料によって構成されている場合には、発光層２４がバンク１５からの水分によって劣化するおそれを低減することができる。その結果、バンク１５に吸収された水分による悪影響を抑えることができる。
【００６５】
以上、実施の形態を挙げて本開示を説明したが、本開示は実施の形態に限定されるものではなく、種々変形が可能である。例えば、上記実施の形態では、基板１４上に複数のラインバンク１３および複数のバンク１５が設けられていたが、それらの代わりに、副画素１２ごとに１つずつピクセルバンクが設けられていてもよい。
【００６６】
なお、本明細書中に記載された効果は、あくまで例示である。本開示の効果は、本明細書中に記載された効果に限定されるものではない。本開示が、本明細書中に記載された効果以外の効果を持っていてもよい。
【００６７】
また、例えば、本開示は以下のような構成を取ることができる。
（１）
画素領域を区画する、有機材料を含んで構成された複数の隔壁部と、
複数の前記隔壁部をまたぐように形成された有機発光層と、
各前記隔壁部と前記有機発光層との間に形成され、前記隔壁部よりも水分の透過性が低い保護層と
を備えた
有機電界発光パネル。
（２）
前記画素領域内に行列状に配置された複数の画素を備え、
各前記画素は、複数の副画素を有し、
複数の前記副画素は、所定の方向に一列に並んで配置されるとともに、複数の前記隔壁部によって区画され、さらに、前記有機発光層を共有する
（１）に記載の有機電界発光パネル。
（３）
各前記副画素は、正孔注入層を共有し、
前記正孔注入層が前記保護層を兼ねている
（２）に記載の有機電界発光パネル。
（４）
前記保護層は、各前記隔壁部のうち、複数の前記副画素を区画する部分の表面全体を覆っている
（３）に記載の有機電界発光パネル。
（５）
前記保護層は、各前記隔壁部の上面の全体または一部を露出させる構成となっている
（３）に記載の有機電界発光パネル。
（６）
前記正孔注入層は、無機材料によって構成されている
（３）に記載の有機電界発光パネル。
（７）
各前記副画素は、互いに別個の正孔注入層を有し、
各前記正孔注入層は、当該正孔注入層の端部が前記隔壁部内に埋め込まれるように形成されており、
前記保護層は、各前記正孔注入層とは別個の層で構成されている
（２）に記載の有機電界発光パネル。
（８）
前記保護層は、各前記隔壁部の側面の全体または一部を露出させる構成となっている
（７）に記載の有機電界発光パネル。
（９）
前記正孔注入層は、無機材料によって構成されている
（７）に記載の有機電界発光パネル。
（１０）
前記保護層は、金属材料によって構成されている
（９）に記載の有機電界発光パネル。
（１１）
前記有機発光層は、塗布層である
（１）に記載の有機電界発光パネル。
（１２）
複数の前記隔壁部の底面に接するとともに複数の前記隔壁部を支持するフレキシブル基板をさらに備えた
（１）に記載の有機電界発光パネル。
（１３）
有機電界発光パネルと、
前記有機電界発光パネルを駆動する駆動部と
を備え、
前記有機電界発光パネルは、
画素領域を区画する、有機材料を含んで構成された複数の隔壁部と、
複数の前記隔壁部をまたぐように形成された有機発光層と、
各前記隔壁部と前記有機発光層との間に形成され、前記隔壁部よりも水分の透過性が低い保護層と
を有する
発光装置。
【符号の説明】
【００６８】
１…有機電界発光装置、１０…有機電界発光パネル、１１…画素、１２，１２Ｒ，１２Ｇ，１２Ｂ…副画素、１２−１…画素回路、１２−２，１２ｒ，１２ｇ，１２ｂ…有機電界発光素子、１３…ラインバンク、１４…基板、１５…バンク、１６…溝部、１７…封止層、２０…コントローラ、２１…陽極、２２…正孔注入層、２２Ｈ…開口部、２３…正孔輸送層、２４…発光層、２５…電子輸送層、２６…電子注入層、２７…陰極、２８…保護層、３０…ドライバ、３１…水平セレクタ、３２…ライトスキャナ、Ｔｒ１…駆動トランジスタ、Ｔｒ２…選択トランジスタ、Ｃｓ…保持容量、ＤＳＬ…電源線、ＤＴＬ…信号線、Ｖｇｓ…ゲート−ソース間電圧、Ｖｓｉｇ…信号電圧、ＷＳＬ…選択線。
【図１】
2018129471.tif 000003
【図２】
2018129471.tif 000004
【図３】
2018129471.tif 000005
【図４】
2018129471.tif 000006
【図５】
2018129471.tif 000007
【図６Ａ】
2018129471.tif 000008
【図６Ｂ】
2018129471.tif 000009
【図６Ｃ】
2018129471.tif 000010
【図６Ｄ】
2018129471.tif 000011
【図７】
2018129471.tif 000012
【図８】
2018129471.tif 000013
【図９】
2018129471.tif 000014